(57)【要約】  本発明は、車両の室内照明で運転者または同乗者が着席するシートの位置を前方または後方に動くことによりシート位置に対応するランプも自動で点灯し、車両用照明配光基準に合わせてランプの照明を調節できるようにする車両シート位置連携ランプ点灯システム及び方法に関する。本発明に係る車両シート位置連携ランプ点灯システムは、前方または後方に移動可能な車両シート；前記車両シートの移動による停止位置に対応するランプが一つ以上で備えられたランプ照明部；前記車両シートの停止位置によるシート位置情報を保存するシート情報メモリー部；及び前記シート位置情報に基づいて前記車両シートの停止位置に対応するランプを点灯させて前記停止位置の車両シートに照明されるように制御する制御部を含むことを特徴とする。【選択図】図１
2016529159.tif 000002
【特許請求の範囲】
【請求項１】
前方または後方に移動可能な車両シート；
前記車両シートの移動による停止位置に対応するランプが一つ以上で備えられたランプ照明部；
前記車両シートの停止位置によるシート位置情報を保存するシート情報メモリー部；  及び
前記シート位置情報に基づいて前記車両シートの停止位置に対応するランプを点灯させて前記停止位置の車両シートに照明されるように制御する制御部；
を含む車両シート位置連携ランプ点灯システム。
【請求項２】
前記ランプ照明部は、前記車両シートが基準位置に停止している時、前記基準位置の車両シートに対応されるように照明する第２の配光角を有する第２のランプ、前記車両シートが前記基準位置に対して前方に移動して停止した前方停止位置の車両シートに対応されるように照明する第１の配光角を有する第１のランプ、及び前記車両シートが前記基準位置に対して後方に移動して停止した後方停止位置の車両シートに対応されるように照明する第３の配光角を有する第３のランプを含むことを特徴とする請求項１に記載の車両シート位置連携ランプ点灯システム。
【請求項３】
前記シート情報メモリー部は、前記車両シートが基準位置に停止している時、基準位置情報を保存し、前記車両シートが基準位置に対して前方に移動して停止した場合、前方位置情報を保存し、前記車両シートが基準位置に対して後方に移動して停止した場合、後方位置情報を保存することを特徴とする請求項１に記載の車両シート位置連携ランプ点灯システム。
【請求項４】
前記制御部は、前記シート情報メモリー部に保存されている車両シートの位置情報が前方位置情報である場合に前記第１のランプを点灯させて基準位置に対して前方に移動して停止した車両シートに照明されるように制御し、前記シート情報メモリー部に保存されている車両シートの位置情報が基準位置情報である場合に前記第２のランプを点灯させて基準位置に停止している車両シートに照明されるように制御し、前記シート情報メモリー部に保存されている車両シートの位置情報が後方位置情報である場合に前記第３のランプを点灯させて基準位置に対して後方に移動して停止した車両シートに照明されるように制御することを特徴とする請求項３に記載の車両シート位置連携ランプ点灯システム。
【請求項５】
前記制御部は、前記第１のランプ、前記第２のランプ及び前記第３のランプの点灯時にその明るさを夫々調節して、前記車両シートに照明されるように制御することを特徴とする請求項３に記載の車両シート位置連携ランプ点灯システム。
【請求項６】
車両シートの移動による停止位置に対応するランプが一つ以上で備えられたシステムの車両シート位置連携ランプ点灯方法であって、
（ａ）車両シートが基準位置に停止するか、基準位置に対して前方または後方に移動するステップ；
（ｂ）シート情報メモリー部が前記車両シートの移動後に停止状態にある時の位置情報を保存するステップ；  及び
（ｃ）制御部が前記シート情報メモリー部に保存された前記車両シートの位置情報に基づいて前記車両シートの位置情報に対応するランプを点灯させるステップ；
を含む車両シート位置連携ランプ点灯方法。
【請求項７】
前記  （ａ）ステップは、前記車両シートが基準位置に停止している時、前記基準位置の車両シートに対応されるように照明する配光角を有する第２のランプ、前記車両シートが前記基準位置に対して前方に移動して停止した前方停止位置の車両シートに対応されるように照明する配光角を有する第１のランプ及び前記車両シートが前記基準位置に対して後方に移動して停止した後方停止位置の車両シートに対応されるように照明する配光角を有する第３のランプが、夫々車両の天井に設けられた状態で、前記車両シートが基準位置に停止するか、基準位置に対して前方または後方に移動することを特徴とする請求項６に記載の車両シート位置連携ランプ点灯方法。
【請求項８】
前記  （ｂ）ステップで前記シート情報メモリー部は、前記車両シートが基準位置に停止している時、基準位置情報を保存し、前記車両シートが基準位置に対して前方に移動して停止した場合、前方位置情報を保存し、前記車両シートが基準位置に対して後方に移動して停止した場合、後方位置情報を保存することを特徴とする請求項６に記載の車両シート位置連携ランプ点灯方法。
【請求項９】
前記  （ｃ）ステップで前記制御部は、前記シート情報メモリー部に保存されている車両シートの位置情報が前方位置情報である場合に前記第１のランプを点灯させて基準位置に対して前方に移動して停止した車両シートに照明されるように制御し、前記シート情報メモリー部に保存されている車両シートの位置情報が基準位置情報である場合に前記第２のランプを点灯させて基準位置に停止している車両シートに照明されるように制御し、前記シート情報メモリー部に保存されている車両シートの位置情報が後方位置情報である場合に前記第３のランプを点灯させて基準位置に対して後方に移動して停止した車両シートに照明されるように制御することを特徴とする請求項８に記載の車両シート位置連携ランプ点灯方法。
【請求項１０】
前記  （ｃ）ステップで前記制御部は、前記第１のランプ、前記第２のランプ及び前記第３のランプの点灯時にその明るさを夫々調節して、前記車両シートに照明されるように制御することを特徴とする請求項８に記載の車両シート位置連携ランプ点灯方法。
【発明の詳細な説明】
【技術分野】
【０００１】
本発明は、車両シート位置連携ランプ点灯システム及び方法に関し、より詳細には、車両の室内照明で運転者または同乗者が着席するシート（ｓｅａｔ）の位置を前方または後方に動くことによりシート位置に対応するランプも自動で点灯し、車両用照明配光基準に合わせてランプの照明を調節できるようにする車両シート位置連携ランプ点灯システム及び方法に関する。
【背景技術】
【０００２】
一般的に、車両の内部には、室内に乗車している運転者や同乗者を照らすか室内照明のためのランプが設けられている。
【０００３】
ところが、従来の車両の照明では、ランプが固定されているので、運転者や同乗者が体形の大きさに着席しているシートを前に移動するか後に移動して動いても運転者の体形又は趣向により配光角度を調節することができなかった。
【０００４】
すなわち、車両のインテリアランプの配光角度が固定されているので、運転者の体形によってシートポジション（Ｓｅａｔ  Ｐｏｓｉｔｉｏｎ）が変更されても、固定装着されたランプの配光角度の変更が不可能であった。
【０００５】
なお、シートポジションが前、後に移動した場合に、固定されたランプの配光によって運転者の身体によって照明が遮られるか、不必要な所を照らす場合があった。
【０００６】
したがって、シートの移動による配光角度の問題を解決するために、配光角を無条件に広げる場合に運転者及び同乗者に悪影響を与える問題点がある。
【０００７】
一方、車両の内部から手動で配光角度を調節する方式は、使用者が利用するのに不便であり、車両用照明配光基準で規定する配光角度を合わせ難かった。
【０００８】
なお、バルブランプを使う場合には、配光角が広くてシートの移動による影響が小さいものであったが、ＬＥＤランプの場合には、ＬＥＤの直進性による配光角の影響が大きくなる問題点があった。
【発明の概要】
【発明が解決しようとする課題】
【０００９】
前述の問題点を解決するための本発明の目的は、車両の室内照明で運転者または同乗者が着席するシートの位置を前方または後方に動くことによりシート位置に対応するランプも自動で点灯し、車両用照明配光基準に合わせてランプの照明を調節できるようにする車両シート位置連携ランプ点灯システム及び方法を提供することにある。
【課題を解決するための手段】
【００１０】
前述の目的を達成するための本発明の一側面によると、前方または後方に移動可能な車両シート；  前記車両シートの移動による停止位置に対応するランプが一つ以上で備えられたランプ照明部；  前記車両シートの停止位置によるシート位置情報を保存するシート情報メモリー部；  及び前記シート位置情報に基づいて前記車両シートの停止位置に対応するランプを点灯させて前記停止位置の車両シートに照明されるように制御する制御部を含む車両シート位置連携ランプ点灯システムが提供される。
【００１１】
さらに、前記ランプ照明部は、前記車両シートが基準位置に停止している時、前記基準位置の車両シートに対応されるように照明する第２の配光角を有する第２のランプ、前記車両シートが前記基準位置に対して前方に移動して停止した前方停止位置の車両シートに対応されるように照明する第１の配光角を有する第１のランプ及び前記車両シートが前記基準位置に対して後方に移動して停止した後方停止位置の車両シートに対応されるように照明する第３の配光角を有する第３のランプを含む。
【００１２】
なお、前記シート情報メモリー部は、前記車両シートが基準位置に停止している時、基準位置情報を保存し、前記車両シートが基準位置に対して前方に移動して停止した場合、前方位置情報を保存し、前記車両シートが基準位置に対して後方に移動して停止した場合、後方位置情報を保存するようになる。
【００１３】
さらに、前記制御部は、前記シート情報メモリー部に保存されている車両シートの位置情報が前方位置情報である場合に、前記第１のランプを点灯させて基準位置に対して前方に移動して停止した車両シートに照明されるように制御し、前記シート情報メモリー部に保存されている車両シートの位置情報が基準位置情報である場合に、前記第２のランプを点灯させて基準位置に停止している車両シートに照明されるように制御し、前記シート情報メモリー部に保存されている車両シートの位置情報が後方位置情報である場合に、前記第３のランプを点灯させて基準位置に対して後方に移動して停止した車両シートに照明されるように制御するようになる。
【００１４】
なお、前記制御部は、前記第１のランプ、前記第２のランプ及び前記第３のランプの点灯時に、その明るさを夫々調節して、前記車両シートに照明されるように制御することができる。
【００１５】
一方、前述の目的を達成するための本発明の他の側面によると、車両シートの移動による停止位置に対応するランプが一つ以上で備えられたシステムの車両シート位置連携ランプ点灯方法であって、（ａ）車両シートが基準位置に停止するか、基準位置に対して前方または後方に移動するステップ；  （ｂ）シート情報メモリー部が前記車両シートの移動後に停止状態にある時の位置情報を保存するステップ；  及び（ｃ）制御部が前記シート情報メモリー部に保存された前記車両シートの位置情報に基づいて前記車両シートの位置情報に対応するランプを点灯させるステップを含む車両シート位置連携ランプ点灯方法が提供される。
【００１６】
なお、前記（ａ）ステップは、前記車両シートが基準位置に停止している時、前記基準位置の車両シートに対応されるように照明する配光角を有する第２のランプ、前記車両シートが前記基準位置に対して前方に移動して停止した前方停止位置の車両シートに対応されるように照明する配光角を有する第１のランプ、及び前記車両シートが前記基準位置に対して後方に移動して停止した後方停止位置の車両シートに対応されるように照明する配光角を有する第３のランプが、夫々車両の天井に設けられた状態で、前記車両シートが基準位置に停止するか、基準位置に対して前方または後方に移動するようになる。
【００１７】
なお、前記（ｂ）ステップで前記シート情報メモリー部は、前記車両シートが基準位置に停止している時、基準位置情報を保存し、前記車両シートが基準位置に対して前方に移動して停止した場合、前方位置情報を保存し、前記車両シートが基準位置に対して後方に移動して停止した場合、後方位置情報を保存するようになる。
【００１８】
なお、前記（ｃ）ステップで前記制御部は、前記シート情報メモリー部に保存されている車両シートの位置情報が前方位置情報である場合に、前記第１のランプを点灯させて基準位置に対して前方に移動して停止した車両シートに照明されるように制御し、前記シート情報メモリー部に保存されている車両シートの位置情報が基準位置情報である場合に、前記第２のランプを点灯させて基準位置に停止している車両シートに照明されるように制御し、前記シート情報メモリー部に保存されている車両シートの位置情報が後方位置情報である場合に、前記第３のランプを点灯させて基準位置に対して後方に移動して停止した車両シートに照明されるように制御するようになる。
【００１９】
なお、前記（ｃ）ステップで前記制御部は、前記第１のランプ、前記第２のランプ及び前記第３のランプの点灯時にその明るさを夫々調節して、前記車両シートに照明されるように制御することができる。
【発明の効果】
【００２０】
本発明によると、運転者の体形及び運転習慣によって変わる車両シートの位置変更に応じて照明のオン（ＯＮ）位置及び明るさが一緒に変わって便宜性を増大させることができる。
【００２１】
なお、配光角度の変更のために別途のモーター、アクチュエーター及び光学レンズなどを適用せず、ＬＥＤランプのマトリックスビームパターン方式を適用することで、製品の原価を節減することができる。
【００２２】
なお、車両シートの移動を感知するための別途の測定センサー及び装置なしに既存メモリーシートの情報を用いて配光角を変更させる構造として車両適用が可能である。
【図面の簡単な説明】
【００２３】
【図１】本発明の実施例に係る車両シート位置連携ランプ点灯システムの構成を概略的に示す構成図である。
【図２】一般的な車両シートの停止位置に応じる室内ランプの配光角度例を示す図である。
【図３】本発明の実施例に係るランプ照明部の構造と、シート位置の移動によるランプの配光角変更の動作例を示す図である。
【図４】本発明の実施例に係る車両シート位置連携ランプ点灯方法を説明するための動作フローチャートである。
【図５】本発明の実施例に係る基準位置に対応する第２のランプを点灯して基準位置の車両シートに照明する例を示す図である。
【図６】本発明の実施例に係る基準位置に対して前方に位置した車両シートに第１のランプを点灯させて照明する例を示す図である。
【図７】本発明の実施例に係る基準位置に対して後方に位置した車両シートに第３のランプを点灯させて照明する例を示す図である。
【図８】本発明の実施例に係る夫々の配光角を有する各ランプの照明の明るさを夫々相違するように調節する例を示す図である。
【発明を実施するための形態】
【００２４】
本発明は、多様な変更を加えることができ、様々な実施例を有することができるので、特定の実施例を図面に例示して詳細に説明しようとする。しかし、これは本発明の特定の実施形態について限定しようとするものではなく、本発明の思想及び技術範囲に含まれるすべての変更、均等物ないし代替物を含むものと理解されるべきである。
【００２５】
本発明に係る車両シート位置連携ランプ点灯システムの実施例を添付図面を参照して詳細に説明する。添付図面を参照して説明するにおいて同一であるか対応する構成要素は、同一な図面番号を付与して、これについての重複される説明は省略する。
【００２６】
図１は、本発明の実施例に係る車両シート位置連携ランプ点灯システムの構成を概略的に示す構成図である。
【００２７】
図１を参照すると、本発明の実施例に係る車両シート位置連携ランプ点灯システム（１００）は、車両シート（１１０）、ランプ照明部（１２０）、シート情報メモリー部（１３０）及び制御部（１４０）を含む。
【００２８】
車両シート（１１０）は、運転者や同乗者が搭乗して着席するシートが前方または後方に移動可能に装着される。
【００２９】
ランプ照明部（１２０）は、車両シートの移動によるシート位置（Ｐｏｓｉｔｉｏｎ）に対応するＬＥＤランプ達の配光角が一つ以上に区分されている。
【００３０】
ランプ照明部（１２０）は、配光角が一つ以上に区分されたＬＥＤランプ達が夫々相違する配光角で設けられる。
【００３１】
ランプ照明部（１２０）は、車両シート（１１０）の移動による停止位置に対応するランプが一つ以上で備えられる。
【００３２】
すなわち、ランプ照明部（１２０）は、図３に示されているように車両シート（１１０）が基準位置に停止している時、基準位置の車両シートに対応されるように照明する第２の配光角を有する第２のランプ（２２０）と、車両シート（１１０）が基準位置に対して前方に移動して停止した前方停止位置の車両シートに対応されるように照明する第１の配光角を有する第１のランプ（２１０）、及び車両シート（１１０）が基準位置に対して後方に移動して停止した後方停止位置の車両シートに対応されるように照明する第３の配光角を有する第３のランプ（２３０）を含む。
【００３３】
シート情報メモリー部（１３０）は、車両シート（１１０）が移動して停止した状態のシート位置情報を保存する。
【００３４】
すなわち、シート情報メモリー部（１３０）は、車両シート（１１０）が基準位置に停止している時、基準位置情報を保存し、車両シート（１１０）が基準位置に対して前方に移動して停止した場合、前方位置情報を保存し、車両シート（１１０）が基準位置に対して後方に移動して停止した場合、後方位置情報を保存する。
【００３５】
制御部（１４０）は、シート情報メモリー部（１３０）に保存されているシート位置情報に基づいて車両シート（１１０）の停止位置に対応するランプを点灯させて停止位置の車両シートに照明されるように制御する。
【００３６】
なお、制御部（１４０）は、移動後に停止状態のシート位置に対応するＬＥＤランプ達について、車両シートの移動によって各配光角に該当するＬＥＤランプをオン（ＯＮ）またはオフ（ＯＦＦ）させるか、各配光角に該当するＬＥＤランプの照明の明るさを夫々相違するように調節して点灯されるように制御するようになる。
【００３７】
したがって、制御部（１４０）は、シート位置情報を用いて車両ランプの配光角度を自動で変更するようになる。
【００３８】
図２は、一般的な車両シートの停止位置による室内ランプの配光角度例を示す図面である。
【００３９】
図２に示すように、車両の室内に備えられたＬＥＤランプは、車両用照明配光基準に合わせてシートの上面を照明する形態で設けられ、運転者や同乗者がシートに着席した時、図２の（イ）のように運転者や同乗者の前部分を照明するように車両内部の天井に取り付けられている。
【００４０】
車両に乗車してシートに着席した運転者や同乗者が自分の体形に合うようにシートの位置を調節するために、図２の（ロ）のようにシートの位置を前面に移動させる場合に、シートに着席した運転者や同乗者が前面に移動するようになるが、車両の天井に取り付けられたＬＥＤランプは固定されているので、固定されたＬＥＤランプが運転者や同乗者の前部分より頭のすぐ上を照明するようになり、搭乗者が不便を感じるようになる。
【００４１】
なお、車両に乗車してシートに着席した運転者や同乗者が自分の体形に合うようにシートの位置を調節するために、図２の（ハ）のようにシートの位置を後面に移動させる場合に、シートに着席した運転者や同乗者が後面に移動するようになり、車両の天井に取り付けられたＬＥＤランプが固定されているので、固定されたＬＥＤランプが運転者や同乗者のすぐ前よりもっと前方の部分を照明するようになり、搭乗者が不便を感じるようになる。
【００４２】
図３は、本発明の実施例に係るランプ照明部の構造と、シート位置の移動によるランプの配光角変更の動作例を示す図面である。
【００４３】
図３を参照すると、本発明の実施例に係るランプ照明部（１２０）は、運転者や同乗者が乗車して着席する車両シート（１１０）に車両の天井のランプ照明部（１２０）からＬＥＤランプの光が垂直方向に照明されるように第１のランプ（２１０）、第２のランプ（２２０）及び第３のランプ（２３０）を備える。
【００４４】
ここで、第１のランプ（２１０）は、車両シート（１１０）が前面方向に移動して停止した状態にある時、前面に位置した車両シート（１１０）に光が照明されるようにする第１の配光角（１５°）を有するようにランプ照明部（１２０）の車両の天井に設けられる。
【００４５】
なお、第２のランプ（２２０）は、車両シート（１１０）が基本的な位置に停止している時、ランプ照明部（１２０）で基本的な位置に停止している車両シート（１１０）に垂直方向に照明されるようにする配光角（０°）を有するように車両の天井に設けられる。
【００４６】
なお、第３のランプ（２３０）は、車両シート（１１０）が基本的な位置から後面方向に移動して停止した状態にある時、後面に位置した車両シート（１１０）に光が照明されるようにする配光角（１５°）を有するようにランプ照明部（１２０）の車両の天井に設けられる。
【００４７】
すなわち、第２のランプ（２２０）の車両シート（１１０）に対する照明角度が垂直方向に向かうように車両の天井に設けられている状態を基準（０°）と見ると、第１のランプ（２１０）は、配光角が基準に対して上方方向に、例えば、１５°程度傾いて前方に向かうように設けられ、第３のランプ（２３０）は、配光角が基準に対して上方方向に、例えば、１５°程度傾いて後方に向かうように設けられる。ここで、第１のランプ（２１０）と第３のランプ（２３０）の配光角は、基準である第２のランプ（２２０）の配光角（０°）に対して、例えば，前方または後方に１５°程度の差異があるものと説明したが、これに限定されないで０°から９０°の間で車両シート（１１０）が前方または後方に移動して停止した位置に応じて夫々相違するように設定して設けることができる。
【００４８】
したがって、図３に示すように、車両シート（１１０）が前方に移動して停止される場合に、基準位置に対して前方に位置している車両シート（１１０）に照明されるように第１のランプ（２１０）が点灯され、車両シート（１１０）が基準位置に停止されている場合には、第２のランプ（２２０）が点灯され、車両シート（１１０）が後方に移動されて基準位置に対して後方に位置している場合に、第３のランプ（２３０）が点灯される。
【００４９】
この時、第１のランプ（２１０）、第２のランプ（２２０）及び第３のランプ（２３０）は、夫々照明される角度が垂直線に対して左右に夫々６０°の角度を有するように照明するようになる。
【００５０】
図４は、本発明の実施例に係る車両シート位置連携ランプ点灯方法を説明するための動作フローチャートである。
【００５１】
本発明の実施例に係る車両シート位置連携ランプ点灯システム（１００）で、車両の天井には、図３に示されているように基準位置にある車両シート（１１０）を照明するための第２のランプ（２２０）、基準位置から前方に移動して停止した状態の車両シート（１１０）を照明するための第１のランプ（２１０）及び基準位置から後方に移動して停止した状態の車両シート（１１０）を照明するための第３のランプ（２３０）が設けられている。
【００５２】
図４を参照すると、本発明の実施例に係る車両シート位置連携ランプ点灯システム（１００）は、まず車両シート（１１０）が図５に示されているように基準位置に停止している場合に（Ｓ４１０）、シート情報メモリー部（１３０）は、停止状態にある車両シート（１１０）のシート位置情報を保存する（Ｓ４２０）。図５は、本発明の実施例に係る基準位置に対応する第２のランプを点灯して基準位置の車両シートに照明する例を示す図面である。
【００５３】
したがって、制御部（１４０）は、シート情報メモリー部（１３０）に保存されているシート位置情報に基づいて図５に示されているように基準位置の車両シート（１１０）に照明されるようにランプ照明部（１２０）の第２のランプを点灯させる（Ｓ４３０）。
【００５４】
ところが、運転者や同乗者が図６に示されているように車両シート（１１０）を車両の前方に移動して車両シート（１１０）が基準位置に対して前面に位置した場合（Ｓ４４０）、シート情報メモリー部（１３０）は、移動後に停止状態にある車両シート（１１０）の前方位置情報を保存する（Ｓ４５０）。図６は、本発明の実施例に係る基準位置に対して前方に位置した車両シートに第１のランプを点灯させて照明する例を示す図面である。
【００５５】
したがって、制御部（１４０）は、前方位置情報に基づいて図６に示されているように、現在の車両シート（１１０）の位置に対応するランプ照明部（１２０）の第１のランプ（２１０）を点灯させて車両シート（１１０）に照明されるように制御するようになる（Ｓ４６０）。
【００５６】
しかし、車両シート（１１０）が運転者や同乗者によって車両の後方に移動して車両シート（１１０）が図７に示されているように、基準位置に対して後面に位置した場合（Ｓ４７０）、シート情報メモリー部（１３０）は、基準位置に対して後方に位置して停止状態にある車両シート（１１０）の後方位置情報を保存する（Ｓ４８０）。図７は、本発明の実施例に係る基準位置に対して後方に位置した車両シートに第３のランプを点灯させて照明する例を示す図面である。
【００５７】
したがって、制御部（１４０）は、後方位置情報に基づいて図７に示されているように、基準位置に対して後面にある現在の車両シート（１１０）の位置に対応するランプ照明部（１２０）の第３のランプ（２３０）を点灯させて車両シート（１１０）に照明されるように制御するようになる（Ｓ４９０）。
【００５８】
この場合、制御部（１４０）は、移動されたシート位置に応じて第１のランプ（２１０）、第２のランプ（２２０）及び第３のランプ（２３０）のいずれか一つを点灯させてランプ照明部（１２０）の配光角を調節することができ、図８に示されているように夫々の配光角を有する各ランプの照明時に照明の明るさを夫々相違するように調節して点灯されるように制御することができる。図８は、本発明の実施例に係る夫々の配光角を有する各ランプの照明の明るさを夫々相違するように調節する例を示す図面である。
【００５９】
すなわち、制御部（１４０）は、図８の（イ）に示されているように車両シート（１１０）が基準位置に対して前面に位置した場合、第１のランプ（２１０）及び第２のランプ（２２０）を点灯するが、第１のランプ（２１０）の照明が１００％となるように制御し、第２のランプ（２２０）の照明が３０％となるように点灯制御することができる。ここで、図８は、本発明の実施例に係るランプ照明部の夫々のランプについて照明の比率を調節する例を示す図面である。
【００６０】
なお、制御部（１４０）は、第１のランプ（２１０）及び第２のランプ（２２０）の照明の比率が６０％と６０％に点灯されるように制御することができる。
【００６１】
一方、制御部（１４０）は、図８の（ロ）に示されているように車両シート（１１０）が基準位置に停止状態にある場合に、基準位置に対応するランプ照明部（１２０）の第２のランプ（２２０）を点灯して、その明るさが１００％となるように照明し、第３のランプ（２３０）の照明が２０％となるように点灯制御することができる。もちろん、制御部（１４０）は、ランプ照明部（１２０）の第２のランプ（２２０）の照明と第３のランプ（２３０）の照明が６０％と６０％となるように点灯制御することができる。
【００６２】
なお、図８の（ハ）に示されているように車両シート（１１０）が基準位置に対して後面に位置した場合に、制御部（１４０）は、後方位置情報に対応する第３のランプ（２３０）を点灯して、その明るさが１００％となるように照明し、隣り合う第２のランプ（２２０）に対して３０％の明るさに照明されるように点灯制御することができる。
【００６３】
一方、前述の実施例では、車両シートの移動によるシート位置情報により自動で該当シート位置に対応するランプを点灯させて該当配光角に照明されるようにしたが、使用者が任意に配光角を調節するように設定することができる。
【００６４】
すなわち、シートが基準位置から前面に移動して基準位置に対して前面に位置した場合に、前面に位置したシートに照明されるように使用者が第１のランプを手動で点灯させることができる。
【００６５】
なお、使用者が直接回転軸を有するホイールを回転させてＭａｔｒｉｘ制御を介して配光角を調節することもできる。すなわち、基本位置にあるシートに対応する第２のランプ（２２０）のホイールを回転させて照明角度を調節するように設定するか、後面位置にあるシートに対応する第３のランプ（２３０）のホイールを回転させて照明角度を調節するように設定するか、前面位置にあるシートに対応する第１のランプ（２１０）のホイールを回転させて照明角度を調節するように設定することができる。
【００６６】
なお、運転席シートと助手席シートに対応するように設けられたＬＥＤランプに対して、運転席シートに運転者が搭乗した場合に、前述のように運転席シートの位置に応じて該当ランプを点灯させて照明することができ、助手席シートに誰も搭乗していない場合には、該当シートに対応するランプを点灯しないか、低い明るさに照明されるように点灯することができる。
【００６７】
前述のように、本発明によると、車両の室内照明で運転者または同乗者が着席するシートの位置を前方または後方に動くことによりシート位置に対応するランプも自動で点灯し、車両用照明配光基準に合わせてランプの照明を調節できるようにする車両シート位置連携ランプ点灯システム及び方法を実現することができる。
【００６８】
本発明が属する技術分野の当業者は、本発明がその技術的思想や必須的特徴を変更せず、他の具体的な形態で実施されることができるので、以上で記述した実施例は、すべての面で例示的なものであり、限定的なものではないと理解すべきである。本発明の範囲は、前記詳細な説明よりは、後述する特許請求の範囲によって示され、特許請求の範囲の意味及び範囲、なお、その等価概念から導出されるすべての変更または変形された形態が、本発明の範囲に含まれるものと解釈されるべきである。
【産業上の利用可能性】
【００６９】
本発明は、車両の室内照明で運転者または同乗者が着席するシートの位置を前方または後方に動くことによってシート位置に対応するランプも自動で点灯し、車両用照明配光基準に合わせてランプの照明を調節できるようにする車両シート位置連携ランプ点灯システム及び方法に適用することができる。  
【図１】
2016529159.tif 000003
【図２】
2016529159.tif 000004
【図３】
2016529159.tif 000005
【図４】
2016529159.tif 000006
【図５】
2016529159.tif 000007
【図６】
2016529159.tif 000008
【図７】
2016529159.tif 000009
【図８】
2016529159.tif 000010
【国際調査報告】
2016529159.tif 000011
2016529159.tif 000012
2016529159.tif 000013
2016529159.tif 000014